【手続補正書】
【提出日】平成17年2月24日(2005.2.24)
【手続補正１】
【補正対象書類名】特許請求の範囲
【補正対象項目名】全文
【補正方法】変更
【補正の内容】
【特許請求の範囲】
【請求項１】
通信手段を介して相互に接続されたセンター装置と一又は複数の端末装置とを備えたデータ処理システムであって、
（i）前記センター装置は、
前記端末装置で実行されるアプリケーションプログラムで引用される可変パラメータデータを定義する定義データを所定の表示形態に基づき入力する定義データ入力手段と、
前記入力された定義データを、前記パラメータデータに変換する変換手段と、
前記変換されたパラメータデータをパラメータテーブルの一部としてデータベースに格納する格納手段と
を備え、
（ii）前記端末装置は、
前記データベースに格納されたパラメータテーブルを、前記通信手段を介して前記端末装置に読み込む読み込み手段と、
前記読み込まれたパラメータテーブル中のパラメータデータを反映した表又はリストを表示するための表示データを生成するように前記アプリケーションプログラムを実行する実行手段と、
該実行手段による前記アプリケーションプログラムの実行結果を所定フォーマットで表示する端末側表示手段と
を備え、
前記端末側表示手段は、前記所定フォーマットとして、前記表示データに基づいて前記表又はリストを表示し、
前記実行手段は、前記表又はリストにおけるデータ項目の数を示すデータ項目数及び該夫々のデータ項目が有するデータの数を示すデータ数の少なくとも一方が可変である前記パラメータデータを引用して、前記アプリケーションプログラムを実行することを特徴とするデータ処理システム。
【請求項２】
前記読み込み手段は、前記パラメータデータに係る前記データ項目数及び前記データ数の少なくとも一方が変化する際に、該変化する一方を前記端末装置に読みこむことを特徴とする請求項１に記載のデータ処理システム。
【請求項３】
コンピュータを、請求項１又は２に記載のデータ処理システムに備えられる前記センター装置及び前記端末装置のうち少なくとも一方として機能させるコンピュータプログラム。
【手続補正２】
【補正対象書類名】明細書
【補正対象項目名】０００７
【補正方法】変更
【補正の内容】
【０００７】
本発明のデータ処理システムは上記課題を解決するために、通信手段を介して相互に接続されたセンター装置と一又は複数の端末装置とを備えたデータ処理システムであって、（i）前記センター装置は、前記端末装置で実行されるアプリケーションプログラムで引用される可変パラメータデータを定義する定義データを所定の表示形態に基づき入力する定義データ入力手段と、前記入力された定義データを、前記パラメータデータに変換する変換手段と、前記変換されたパラメータデータをパラメータテーブルの一部としてデータベースに格納する格納手段とを備え、（ii）前記端末装置は、前記データベースに格納されたパラメータテーブルを、前記通信手段を介して前記端末装置に読み込む読み込み手段と、前記読み込まれたパラメータテーブル中のパラメータデータを反映した表又はリストを表示するための表示データを生成するように前記アプリケーションプログラムを実行する実行手段と、該実行手段による前記アプリケーションプログラムの実行結果を所定フォーマットで表示する端末側表示手段とを備え、前記端末側表示手段は、前記所定フォーマットとして、前記表示データに基づいて前記表又はリストを表示し、前記実行手段は、前記表又はリストにおけるデータ項目の数を示すデータ項目数及び該夫々のデータ項目が有するデータの数を示すデータ数の少なくとも一方が可変である前記パラメータデータを引用して、前記アプリケーションプログラムを実行する。
【手続補正３】
【補正対象書類名】明細書
【補正対象項目名】００１２
【補正方法】変更
【補正の内容】
【００１２】
加えて、本発明のデータ処理システムでは、前記実行手段は、前記読み込まれたパラメータテーブル中のパラメータデータを反映した表又はリストを表示するための表示データを生成し、前記端末側表示手段は、前記表示データに基づいて前記表又はリストを表示する。更に、前記実行手段は、前記表又はリストにおけるデータ項目の数を規定するデータ項目数及び該夫々のデータ項目が有するデータの数を規定するデータ数の少なくとも一方が可変である前記パラメータデータを引用して、前記アプリケーションプログラムを実行する。
このため、端末装置において、実行手段により、パラメータデータを反映した表又はリストを表示するための表示データが生成され、これに基づいて、端末側表示手段により表又はリストが表示される。従って、センター装置側における定義データを入力することによって、アプリケーションプログラムに変更を加えることなく、端末装置側で表示される、表やリストの表示内容（例えば、表やリストの表示出力におけるデータ項目数やデータ項目の種類等）を比較的簡単に変更できる。
尚、本発明に係るアプリケーションプログラムでは、端末装置への定義データの読み込みは、データ数を可変形式として行ってもよい。これにより、定義データの総数が増えた場合でも、そのままのアプリケーションプログラムで対応可能となる。
【手続補正４】
【補正対象書類名】明細書
【補正対象項目名】００１３
【補正方法】変更
【補正の内容】
【００１３】
本発明のデータ処理システムの一態様では、前記読込手段は、前記パラメータデータに係る前記データ項目数及び前記データ数の少なくとも一方が変化する際に、該変化する一方を前記端末装置に読みこむ。
【手続補正５】
【補正対象書類名】明細書
【補正対象項目名】００１４
【補正方法】変更
【補正の内容】
【００１４】
この態様によれば、センター装置側における定義データを入力することによって、アプリケーションプログラムに変更を加えることなく、端末装置側で表示される、表やリストの表示内容（例えば、表やリストの表示出力におけるデータ項目数やデータ項目の種類等）を比較的簡単に変更できる。特に、データ項目数及びデータ数の少なくとも一方が変化する際に、変化する一方を端末装置に読み込めば足りるため、表やリストの表示内容の変更を比較的簡便にないしは効率的に行うことができる。
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】削除
【補正の内容】
【手続補正１６】
【補正対象書類名】明細書
【補正対象項目名】００２５
【補正方法】削除
【補正の内容】
【手続補正１７】
【補正対象書類名】明細書
【補正対象項目名】００２６
【補正方法】削除
【補正の内容】
【手続補正１８】
【補正対象書類名】明細書
【補正対象項目名】００２７
【補正方法】削除
【補正の内容】
【手続補正１９】
【補正対象書類名】明細書
【補正対象項目名】００２８
【補正方法】削除
【補正の内容】
【手続補正２０】
【補正対象書類名】明細書
【補正対象項目名】００２９
【補正方法】削除
【補正の内容】
【手続補正２１】
【補正対象書類名】明細書
【補正対象項目名】００３０
【補正方法】削除
【補正の内容】
【手続補正２２】
【補正対象書類名】明細書
【補正対象項目名】００３１
【補正方法】削除
【補正の内容】
【手続補正２３】
【補正対象書類名】明細書
【補正対象項目名】００３２
【補正方法】削除
【補正の内容】
【手続補正２４】
【補正対象書類名】明細書
【補正対象項目名】００３３
【補正方法】削除
【補正の内容】
【手続補正２５】
【補正対象書類名】明細書
【補正対象項目名】００３４
【補正方法】削除
【補正の内容】
【手続補正２６】
【補正対象書類名】明細書
【補正対象項目名】００３５
【補正方法】削除
【補正の内容】
【手続補正２７】
【補正対象書類名】明細書
【補正対象項目名】００３６
【補正方法】削除
【補正の内容】
【手続補正２８】
【補正対象書類名】明細書
【補正対象項目名】００３９
【補正方法】削除
【補正の内容】
【手続補正２９】
【補正対象書類名】明細書
【補正対象項目名】００４０
【補正方法】削除
【補正の内容】
【手続補正３０】
【補正対象書類名】明細書
【補正対象項目名】００４１
【補正方法】削除
【補正の内容】
【手続補正３１】
【補正対象書類名】明細書
【補正対象項目名】００４２
【補正方法】削除
【補正の内容】
【手続補正３２】
【補正対象書類名】明細書
【補正対象項目名】００４３
【補正方法】削除
【補正の内容】